(57)【要約】  タッチパネル装置（１００）は、抵抗膜を有し抵抗膜に電流が流れている状態で抵抗膜内における押下位置（Ｐ）に生じている電圧を出力するタッチパネル（２）と、抵抗膜へ電流を供給する電流供給部（１１）と、電流供給部（１１）から抵抗膜へ供給される電流の電流値を、第１電流値と第１電流値よりも小さい第２電流値とのいずれかに切り替える電流切替部（１２）と、を備える。電流切替部（１２）は、抵抗（Ｒ２１、Ｒ２３）と、電極（２２３）に接続された抵抗（Ｒ２２）と、電極（２１３）に接続された抵抗（Ｒ２４）と、抵抗（Ｒ２１）に並列に接続されたスイッチング素子（ＳＷ２１）と、抵抗（Ｒ２２）に並列に接続されたスイッチング素子（ＳＷ２２）と、抵抗（Ｒ２３）に並列に接続されたスイッチング素子（ＳＷ２３）と、抵抗（Ｒ２４）に並列に接続されたスイッチング素子（ＳＷ２４）と、スイッチ制御部（１３２）と、を有する。
2019186939.tif 000002
【特許請求の範囲】
【請求項１】
抵抗膜を有し前記抵抗膜に電流が流れている状態で前記抵抗膜内における押下位置に生じている電圧を出力するタッチパネルと、
前記抵抗膜へ電流を供給する電流供給部と、
前記電流供給部から前記抵抗膜へ供給される電流の電流値を、第１電流値と前記第１電流値よりも小さい第２電流値とのいずれかに切り替える電流切替部と、を備える、
タッチパネル装置。
【請求項２】
前記タッチパネルは、
前記抵抗膜において互いに離間して配置された一対の電極を更に有し、
前記電流切替部は、
前記一対の電極のうち前記電流供給部に電気的に接続される一方と前記電流供給部との間に介挿された第１抵抗と、
前記一対の電極のうちの他方に電気的に接続された第２抵抗と、
前記第１抵抗に並列に接続された第１スイッチング素子と、
前記第２抵抗に並列に接続された第２スイッチング素子と、
前記第１スイッチング素子と前記第２スイッチング素子とのオンオフを制御することにより、前記抵抗膜へ供給される電流の電流値を、前記第１電流値と前記第２電流値とのいずれかに切り替えるスイッチ制御部と、を有し、
前記第１抵抗の抵抗値と前記第２抵抗の抵抗値とは、互いに等しい、
請求項１に記載のタッチパネル装置。
【請求項３】
前記電流供給部が前記抵抗膜へ電流を供給している状態で、ユーザが前記タッチパネルを押下したときの前記抵抗膜内における押下位置に生じる電圧を反映した値を出力する電圧値出力部と、
ユーザが前記タッチパネルを押下したか否かを判定する判定部と、
前記判定部により前記タッチパネルが押下されていないと判定されると、前記第１スイッチング素子と前記第２スイッチング素子とをオフ状態にするよう指令するオフ指令情報を前記スイッチ制御部へ出力する指令部と、を更に備える、
請求項２に記載のタッチパネル装置。
【請求項４】
前記電圧を反映した値に基づいて、前記押下位置の前記抵抗膜上の座標値を算出する座標算出部を更に備え、
前記判定部は、前記座標算出部により算出される前記座標値に基づいて、ユーザが前記タッチパネルを押下したか否かを判定する、
請求項３に記載のタッチパネル装置。
【請求項５】
前記判定部は、更に、前記座標算出部により算出される前記座標値に基づいて、ユーザにより前記タッチパネルにおける予め設定された領域が押下されたか否かを判定し、
前記指令部は、前記判定部によりユーザが前記タッチパネルにおける予め設定された領域を押下したと判定されると、前記第１スイッチング素子と前記第２スイッチング素子とをオン状態にするよう指令するオン指令情報を前記スイッチ制御部へ出力する、
請求項４に記載のタッチパネル装置。
【請求項６】
前記第１スイッチング素子と前記第２スイッチング素子とがオフ状態の場合の前記電圧を反映した値と前記座標値との相関関係を示す第１相関情報と、前記第１スイッチング素子と前記第２スイッチング素子とがオン状態の場合の前記電圧を反映した値と前記座標値との相関関係を示す第２相関情報と、を記憶する相関情報記憶部を更に備え、
前記座標算出部は、前記第１スイッチング素子と前記第２スイッチング素子とがオフ状態の場合、前記第１相関情報に基づいて前記座標値を算出し、前記第１スイッチング素子と前記第２スイッチング素子とがオン状態の場合、前記第２相関情報に基づいて前記座標値を算出する、
請求項４または５に記載のタッチパネル装置。
【請求項７】
前記第１スイッチング素子と前記第２スイッチング素子との両方がオン状態である第１状態か前記第１スイッチング素子と前記第２スイッチング素子とがオフ状態である第２状態かを示す状態情報を記憶する状態情報記憶部を更に備える、
請求項３から６のいずれか１項に記載のタッチパネル装置。
【請求項８】
前記抵抗膜の厚さ方向において前記タッチパネルと重ねて配置された表示部と、
前記表示部に操作画面画像を表示する表示制御部と、を更に備え、
前記指令部は、前記表示部に表示される操作画面画像を示す画像情報に応じて、前記第１スイッチング素子と前記第２スイッチング素子とをオフ状態にするよう指令するオフ指令情報または前記第１スイッチング素子と前記第２スイッチング素子とをオン状態にするよう指令するオン指令情報を前記スイッチ制御部へ出力する、
請求項３から７のいずれか１項に記載のタッチパネル装置。
【請求項９】
前記指令部は、前記表示部に表示される操作画面画像の仕様が前記第１スイッチング素子と前記第２スイッチング素子とがオフ状態の場合の前記タッチパネルの分解能に適合する場合、前記第１スイッチング素子と前記第２スイッチング素子とをオフ状態にするよう指令するオフ指令情報を前記スイッチ制御部へ出力する、
請求項８に記載のタッチパネル装置。
【発明の詳細な説明】
【技術分野】
【０００１】
本発明は、タッチパネル装置に関する。
【背景技術】
【０００２】
４線式抵抗膜方式のタッチパネルを備え、タッチパネルの無操作状態が予め設定された時間以上継続すると、アナログ・ディジタル変換器のリファレンス電圧の電圧値を低下させることによりリファレンス電圧の印加に伴う消費電力を削減するタッチパネル装置が提案されている（例えば特許文献１参照）。
【先行技術文献】
【特許文献】
【０００３】
【特許文献１】特開２０１０−１７６４６９号公報
【発明の概要】
【発明が解決しようとする課題】
【０００４】
しかしながら、特許文献１に記載されたタッチパネル装置では、アナログ・ディジタル変換器に印加するリファレンス電圧の低下分に相当する消費電力しか削減できず、消費電力の低減効果が不十分である。【０００５】
本発明は、上記事由に鑑みてなされたものであり、消費電力を削減できるタッチパネル装置を提供することを目的とする。
【課題を解決するための手段】
【０００６】
上記目的を達成するために、本発明に係るタッチパネル装置は、
抵抗膜を有し前記抵抗膜に電流が流れている状態で前記抵抗膜内における押下位置に生じている電圧を出力するタッチパネルと、
前記抵抗膜へ電流を供給する電流供給部と、
前記電流供給部から前記抵抗膜へ供給される電流の電流値を、第１電流値と前記第１電流値よりも小さい第２電流値とのいずれかに切り替える電流切替部と、を備える。
【発明の効果】
【０００７】
本発明によれば、電流切替部が、電流供給部からタッチパネルが有する抵抗膜へ供給される電流の電流値を、第１電流値と第１電流値よりも小さい第２電流値とのいずれかに切り替える。これにより、抵抗膜で消費される消費電力を削減することができるので、その分、タッチパネル装置で消費される消費電力を低減できる。
【図面の簡単な説明】
【０００８】
【図１】本発明の実施の形態１に係るタッチパネル装置のハードウェア構成を示すブロック図
【図２】実施の形態１に係るタッチパネルの一部を示す斜視図
【図３】実施の形態１に係るタッチパネル装置の機能構成を示すブロック図
【図４】実施の形態１に係るタッチパネル駆動処理の流れの一例を示すフローチャート
【図５Ａ】実施の形態１に係るタッチパネル装置の押下位置のＸ軸方向の座標値の検出方法を説明するための図
【図５Ｂ】実施の形態１に係るタッチパネル装置の押下位置のＹ軸方向の座標値の検出方法を説明するための図
【図６Ａ】実施の形態１に係るスイッチング素子がオフ状態の場合の等価回路を示す回路図
【図６Ｂ】実施の形態１に係るスイッチング素子がオン状態の場合の等価回路を示す回路図
【図６Ｃ】図６Ａおよび図６Ｂに示す位置Ｓ１、Ｓ２、Ｐ、Ｔ１、Ｔ２に生じている電圧を示す図
【図７Ａ】実施の形態１に係るスイッチング素子の動作の一例を示すタイムチャート
【図７Ｂ】実施の形態１に係るスイッチング素子の動作の一例を示すタイムチャート
【図８】実施の形態１に係る動作モード指令処理の流れの一例を示すフローチャート
【図９】実施の形態１に係るユーザによりタッチパネルがタッチされていないと判定される座標の位置を示す図
【図１０】本発明の実施の形態２に係るタッチパネル装置の機能構成を示すブロック図
【図１１】実施の形態２に係る動作モード指令処理の流れの一例を示すフローチャート
【図１２Ａ】実施の形態２に係る表示部に表示される初期画面画像の一例を示す図
【図１２Ｂ】実施の形態２に係る表示部に表示されるメニュー画面画像の一例を示す図
【図１２Ｃ】実施の形態２に係る表示部に表示される確認画面画像の一例を示す図
【図１３】実施の形態２に係る動作モード指令処理の流れの一例を示すフローチャート
【図１４Ａ】変形例に係るユーザによりタッチパネルがタッチされていないと判定される座標の位置を示す図
【図１４Ｂ】変形例に係るユーザによりタッチパネルがタッチされていないと判定される座標の位置を示す図
【図１５Ａ】変形例に係るユーザによりタッチパネルがタッチされていないと判定される座標の位置を示す図
【図１５Ｂ】変形例に係るユーザによりタッチパネルがタッチされていないと判定される座標の位置を示す図
【図１６】変形例に係るユーザによりタッチパネルがタッチされていないと判定される座標の位置を示す図
【発明を実施するための形態】
【０００９】
（実施の形態１）
以下、本発明の実施の形態１に係るタッチパネル装置について、添付図面を参照しながら説明する。本実施の形態に係るタッチパネル装置は、抵抗膜を有し抵抗膜に電流が流れている状態で抵抗膜内における押下位置に生じている電圧を出力するタッチパネルと、抵抗膜へ電流を供給する電流供給部と、電流供給部から抵抗膜へ供給される電流の電流値を、第１電流値と第１電流値よりも小さい第２電流値とのいずれかに切り替える電流切替部と、を備える。そして、電流切替部が、適宜、電流供給部からタッチパネルの抵抗膜へ供給する電流の電流値を、第２電流値に切り替えることにより、抵抗膜での消費電力を削減するというものである。
【００１０】
図１に示すように、本実施の形態に係るタッチパネル装置１００は、タッチパネル２と、タッチパネル駆動回路１と、ＣＰＵ（Central Processing Unit）３と、主記憶部４と、補助記憶部５と、を備える。タッチパネル装置１００は、例えば照明装置、換気装置、その他建物内に設置される機器を制御する遠隔制御装置として使用されるものである。主記憶部４は、揮発性メモリであり、ＣＰＵ３の作業領域として用いられる。補助記憶部５は、磁気ディスク、半導体フラッシュメモリ等の不揮発性メモリであり、タッチパネル装置１００の各種機能を実現するためのプログラムを記憶する。
【００１１】
タッチパネル２は、図２に示すように、固定電極板２１と、固定電極板２１に対向して配置された可動電極板２２と、を有する。なお、図２において固定電極板２１の厚さ方向に直交する一方向をＸ軸方向とし、固定電極板２１の厚さ方向およびＸ軸方向に直交する一方向をＹ軸方向とし、Ｘ軸方向およびＹ軸方向に直交する方向をＺ軸方向としている。固定電極板２１と可動電極板２２との間には、例えば格子状に配置された複数のドット状のスペーサ（図示せず）が設けられている。
【００１２】
固定電極板２１は、透明な第１基板（図示せず）と、第１基板の＋Ｚ方向側の面に積層された透明な抵抗膜２１１と、一対の電極２１２、２１３と、を有する。一対の電極２１２、２１３は、抵抗膜２１１における抵抗膜２１１の厚さ方向に直交するＹ軸方向に互いに離間して配置されている。可動電極板２２は、可撓性を有する透明な第２基板（図示せず）と、第２基板の−Ｚ方向側の面に積層された透明な抵抗膜２２１と、一対の電極２２２、２２３と、を有する。一対の電極２２２、２２３は、抵抗膜２２１における抵抗膜２２１の厚さ方向に直交するＸ軸方向に互いに離間して配置されている。第１基板の材料は、透明なガラス、樹脂等である。第２基板の材料は、例えば透明なポリエチレンテレフタレートである。抵抗膜２１１、２２１の材料は、例えばＩＴＯ（酸化インジウムスズ）である。電極２１２、２１３、２２２、２２３の材料は、例えば銀を含む導電性材料である。ユーザは、可動電極板２２を＋Ｚ方向側から押下して固定電極板２１の抵抗膜２１１と可動電極板２２の抵抗膜２２１とを互いに接触させるようにして、タッチパネル２を操作することができる。一対の電極２１２、２１３の一方から他方へ流れる電流は、抵抗膜２１１の面内において均一であり、一対の電極２２２、２２３の一方から他方へ流れる電流は、抵抗膜２２１の面内において均一である。
【００１３】
タッチパネル駆動回路１は、通常モードと通常モード動作時に比べてタッチパネル２の抵抗膜２１１、２２１へ流す電流を制限する限流モードとの２つの動作モードで動作する。タッチパネル駆動回路１は、図３に示すように、タッチパネル２の抵抗膜２１１、２２１へ電流を供給する電流供給部１１と、８つのスイッチング素子ＳＷ１１、ＳＷ１２、ＳＷ１３、ＳＷ１４、ＳＷ２１、ＳＷ２２、ＳＷ２３、ＳＷ２４と、を備える。また、タッチパネル駆動回路１は、更に、４つの抵抗Ｒ２１、Ｒ２２、Ｒ２３、Ｒ２４とマイコン１３とメモリ１４とを備える。ここで、スイッチング素子ＳＷ１１、ＳＷ１２、ＳＷ１３、ＳＷ１４、ＳＷ２１、ＳＷ２２、ＳＷ２３、ＳＷ２４は、例えばＦＥＴ（Field-Effect Transistor）、バイポーラトランジスタ、半導体リレー等である。また、これらのスイッチング素子ＳＷ１１、ＳＷ１２、ＳＷ１３、ＳＷ１４、ＳＷ２１、ＳＷ２２、ＳＷ２３、ＳＷ２４は、汎用ロジックＩＣを用いて実現されていてもよい。また、メモリ１４は、例えば半導体メモリである。電流供給部１１は、定電圧回路を有し、電流切替部１２へ一定の電圧を出力することにより、電流切替部１２を介して抵抗膜２１１、２２１へ電流を供給する。なお、マイコン１３の機能は、ＣＰＵ３が兼ね備えていてもよい。また、メモリ１４は、補助記憶部５により実現されてもよい。
【００１４】
抵抗Ｒ２１は、タッチパネル２においてＸ軸方向に並ぶ一対の電極２２２、２２３のうち電流供給部１１にスイッチング素子ＳＷ１１を介して電気的に接続される電極２２２に接続された第１抵抗である。抵抗Ｒ２１は、電極２２２とスイッチング素子ＳＷ１１との間に介挿されている。第１抵抗Ｒ２３は、タッチパネル２においてＹ軸方向に並ぶ一対の電極２１２、２１３のうち電流供給部１１にスイッチング素子ＳＷ１３を介して電気的に接続される電極２１２に接続された第１抵抗である。抵抗Ｒ２３は、電極２１２とスイッチング素子ＳＷ１３との間に介挿されている。抵抗Ｒ２２は、一端が２つの電極２２２、２２３のうちの電極２２３に電気的に接続され、他端がスイッチング素子ＳＷ１２を介して接地された第２抵抗である。抵抗Ｒ２４は、一端が２つの電極２１２、２１３のうちの電極２１３に電気的に接続され、他端がスイッチング素子ＳＷ１４を介して接地された第２抵抗である。ここで、抵抗Ｒ２１の抵抗値と抵抗Ｒ２２の抵抗値とは、互いに等しく、抵抗Ｒ２３の抵抗値と抵抗Ｒ２４の抵抗値とは、互いに等しい。
【００１５】
スイッチング素子ＳＷ２１は、抵抗Ｒ２１に並列に接続された第１スイッチング素子であり、スイッチング素子ＳＷ２３は、抵抗Ｒ２３に並列に接続された第１スイッチング素子である。スイッチング素子ＳＷ２２は、抵抗Ｒ２２に並列に接続された第２スイッチング素子であり、スイッチング素子ＳＷ２４は、抵抗Ｒ２４に並列に接続された第２スイッチング素子である。
【００１６】
マイコン１３は、アナログ・ディジタル変換器（以下、「ＡＤＣ」と称する。）１３１Ｘ、１３１Ｙと、スイッチ制御部１３２と、座標算出部１３３と、を有する。ＡＤＣ１３１Ｙは、抵抗Ｒ２２およびスイッチング素子ＳＷ２２とスイッチング素子ＳＷ１２との間に接続されている。ＡＤＣ１３１Ｘは、抵抗Ｒ２４およびスイッチング素子ＳＷ２４とスイッチング素子ＳＷ１４との間に接続されている。ＡＤＣ１３１Ｘ、ＡＤＣ１３１Ｙの入力抵抗は、抵抗膜２１１、２２１の抵抗値および抵抗Ｒ２１、Ｒ２２、Ｒ２３、Ｒ２４の抵抗値に比べて十分高い。
【００１７】
ＡＤＣ１３１Ｘ、１３１Ｙは、電流供給部１１がタッチパネル２の抵抗膜２１１、２２１へ電流を供給している状態で、ユーザがタッチパネル２を押下したときの抵抗膜２１１、２２１内における押下位置に生じる電圧を反映した値を出力する電圧値出力部である。例えばユーザがタッチパネル２を押下し、図２に示すように抵抗膜２１１、２２１内における押下位置Ｐにおいて抵抗膜２１１、２２１同士が接触しているとする。ここで、電流供給部１１が、可動電極板２２の電極２２２、２２３間のみに電圧を印加している場合、図３に示すように、ＡＤＣ１３１Ｘには、抵抗膜２２１の押下位置Ｐに生じる電圧が抵抗膜２１１および電極２１３を介して入力される。そして、ＡＤＣ１３１Ｘは、入力された抵抗膜２２１の押下位置Ｐに生じる電圧を反映した値を出力する。このとき、ＡＤＣ１３１Ｙは、接地電位を反映した値を出力する。
【００１８】
一方、電流供給部１１が、図２に示す固定電極板２１の電極２１２、２１３間のみに電圧を印加している場合、図３に示すように、ＡＤＣ１３１Ｙには、抵抗膜２１１の押下位置Ｐに生じる電圧が抵抗膜２２１および電極２２３を介して入力される。そして、ＡＤＣ１３１Ｙは、入力された抵抗膜２１１の押下位置Ｐに生じる電圧を反映した値を出力する。このとき、ＡＤＣ１３１Ｘは、接地電位を反映した値を出力する。
【００１９】
座標算出部１３３は、ＡＤＣ１３１Ｘ、１３１Ｙの出力値に基づいて、タッチパネル２における押下位置Ｐの抵抗膜２１１、２２１上の座標値を算出し、算出した座標値を示す座標情報を生成する。
【００２０】
スイッチ制御部１３２は、スイッチング素子ＳＷ１１、ＳＷ１２、ＳＷ１３、ＳＷ１４、ＳＷ２１、ＳＷ２２、ＳＷ２３、ＳＷ２４それぞれのオンオフを制御することにより、抵抗膜２１１、２２１へ供給される電流の電流値を、第１電流値と第１電流値よりも小さい第２電流値とのいずれかに切り替える。また、スイッチ制御部１３２は、マイコン１３の内部クロックに同期してカウントアップされるカウンタ（図示せず）と、カウンタのカウント値に対する予め設定された基準値を保持するレジスタ（図示せず）と、を有する。そして、スイッチ制御部１３２は、スイッチング素子ＳＷ２１、ＳＷ２２、ＳＷ２３、ＳＷ２４の全てをオン状態とオフ状態との間で切り替えた後、カウンタのカウント値が基準値に達すると切替完了通知信号を座標算出部１３３へ出力する。このようにして、スイッチ制御部１３２は、スイッチング素子ＳＷ２１、ＳＷ２２、ＳＷ２３、ＳＷ２４の全てをオン状態とオフ状態との間で切り替えた後、基準値に対応する基準時間経過後に切替完了通知信号を座標算出部１３３へ出力する。このスイッチ制御部１３２と、４つのスイッチング素子ＳＷ２１、ＳＷ２２、ＳＷ２３、ＳＷ２４と、４つの抵抗Ｒ２１、Ｒ２２、Ｒ２３、Ｒ２４とは、電流切替部１２に含まれる。電流切替部１２は、電流供給部１１から抵抗膜２１１、２２１へ供給される電流の電流値を、第１電流値と第１電流値よりも小さい第２電流値とのいずれかに切り替える。
【００２１】
メモリ１４は、ＡＤＣ１３１Ｘ、１３１Ｙの出力値とＸ軸方向およびＹ軸方向の座標との相関関係を示す関係式を表す第１相関情報および第２相関情報を記憶する相関情報記憶部１４１を有する。この関係式は、例えば押下位置Ｐに生じる電圧の電圧値を引数としてＸ軸方向またはＹ軸方向の座標値を求める一次関数で表される。ここで、第１相関情報は、タッチパネル駆動回路１が限流モードで動作する場合のＡＤＣ１３１Ｘ、１３１Ｙの出力値と座標値との相関関係を示す。第２相関情報は、タッチパネル駆動回路１が通常モードで動作する場合のＡＤＣ１３１Ｘ、１３１Ｙの出力値と座標値との相関関係を示す。
【００２２】
表示部６は、例えば液晶表示装置であり、文字、図形等で表される各種情報を表示する。表示部６は、タッチパネル２の抵抗膜２１１の厚さ方向においてタッチパネル２と重ねて配置されている。表示部６は、その表示領域（図示せず）がタッチパネル２の厚さ方向から見てタッチパネル２におけるユーザによる押下操作が有効な範囲の内側に位置するように配置されている。
【００２３】
ＣＰＵ３は、補助記憶部５が記憶するプログラムを主記憶部４に読み出して実行することにより、判定部３１、指令部３２、処理部３３、表示制御部３４および計時部３５として機能する。補助記憶部５は、画像情報記憶部５１と処理情報記憶部５２と動作モード記憶部５３と閾値情報記憶部５４とを有する。画像情報記憶部５１は、表示部６に表示させる操作画面に対応する各種画像を示す画像情報を記憶する。画像情報は、対応する画像に操作釦を示す操作釦画像が含まれる場合、その操作釦画像に対応する操作内容を示す操作情報を操作釦画像に対応づけて記憶している。
【００２４】
処理情報記憶部５２は、タッチパネル２への各種操作内容を示す各種操作情報に対応する処理内容を示す処理情報を記憶する。動作モード記憶部５３は、タッチパネル駆動回路１が通常モードで動作しているか限流モードで動作しているかを示す動作モード情報を記憶する。即ち、動作モード情報は、タッチパネル駆動回路１のスイッチング素子ＳＷ２１、ＳＷ２２、ＳＷ２３、ＳＷ２４がオン状態である第１状態かスイッチング素子ＳＷ２１、ＳＷ２２、ＳＷ２３、ＳＷ２４がオフ状態である第２状態かを示す状態情報である。そして、動作モード記憶部５３は、状態情報である動作モード情報を記憶する状態情報記憶部である。
【００２５】
閾値情報記憶部５４は、座標閾値情報と経過時間閾値情報とを記憶する。座標閾値情報は、タッチパネル２のＸ軸方向の座標値およびＹ軸方向の座標値それぞれに対する座標閾値を示す。経過時間閾値情報は、タッチパネル駆動回路１の座標算出部１３３が算出する座標値が最初に座標閾値以下になった時点からの経過時間に対する経過時間閾値を示す。ここで、Ｘ軸方向の座標値およびＹ軸方向の座標値それぞれに対する座標閾値は、ユーザがタッチパネル２を押下していない状態で座標算出部１３３が算出した座標値に基づいて設定される。また、経過時間閾値は、ユーザがタッチパネル２の操作を終了したと判断できる無操作状態の継続時間に基づいて設定される。
【００２６】
判定部３１は、座標算出部１３３により算出される座標値に基づいて、ユーザがタッチパネル２を押下したか否かを判定する。ここで、判定部３１は、座標算出部１３３により算出される座標値に基づいて、ユーザによりタッチパネル２における予め設定された第１領域が押下されたか否かを判定する。また、判定部３１は、表示制御部３４から表示部６が表示する操作画面に対応する画像情報を識別する画像識別情報を取得し、画像情報記憶部５１から取得した画像識別情報に対応する画像情報を取得する。そして、判定部３１は、画像情報に含まれる操作釦を示す画像の位置と座標算出部１３３が算出した座標とを比較して、ユーザにより操作釦を選択する操作が行われたか否かを判定する。判定部３１は、操作釦を選択する操作が行われたと判定すると、操作釦に対応する操作情報を処理部３３へ通知する。
【００２７】
指令部３２は、判定部３１によりタッチパネル２が押下されていないと判定されると、スイッチング素子ＳＷ２１、ＳＷ２２、ＳＷ２３、ＳＷ２４をオフにするよう指令するオフ指令情報をタッチパネル駆動回路１のスイッチ制御部１３２へ出力する。また、指令部３２は、判定部３１によりユーザがタッチパネル２における予め設定された第１領域を押下したと判定されると、スイッチング素子ＳＷ２１、ＳＷ２２、ＳＷ２３、ＳＷ２４をオンにするよう指令するオン指令情報をタッチパネル駆動回路１のスイッチ制御部１３２へ出力する。ここで、オフ指令情報およびオン指令情報は、例えば特定の通信プロトコルに適合するものである。
【００２８】
処理部３３は、判定部３１から操作情報が通知されると、処理情報記憶部５２から通知された操作情報に対応する処理情報を取得し、取得した処理情報に基づいて処理を実行する。処理部３３は、処理を実行した結果、表示部６に表示させる操作画面の更新が必要となった場合、更新後の操作画面を示す画像情報の画像識別情報を含む画像更新要求情報を表示制御部３４へ通知する。
【００２９】
表示制御部３４は、処理部３３から画像更新要求情報が通知されると、通知された画像更新要求情報に含まれる画像識別情報に対応する画像情報を画像情報記憶部５１から取得し、取得した画像情報に対応する操作画面を表示部６に表示させる。計時部３５は、例えばソフトウェアタイマであり、時刻を示す時刻情報を判定部３１へ通知する。
【００３０】
主記憶部４は、前述の判定部３１が初めてＸ軸方向、Ｙ軸方向の座標値がそれぞれ座標閾値以下であると判定した時点の時刻情報を記憶する時刻記憶領域を有する。
【００３１】
次に、本実施の形態に係るタッチパネル駆動回路１が実行するタッチパネル駆動処理について図４から図７を参照しながら説明する。このタッチパネル駆動処理は、例えばタッチパネル装置１００へ電源が投入されたことを契機として開始される。ここでは、タッチパネル駆動回路１が当初通常モードで動作しているものとして説明する。即ち、スイッチング素子ＳＷ２１、ＳＷ２２、ＳＷ２３、ＳＷ２４が当初全てオン状態であるものとして説明する。
【００３２】
まず、図４に示すように、スイッチ制御部１３２は、スイッチング素子ＳＷ１１、ＳＷ１２をオンする（ステップＳ１０１）。このとき、図５Ａに示すように、電流供給部１１が、可動電極板２２の電極２２２、２２３間のみに一定の電圧Ｖｃを印加した状態となる。ここで、ユーザが押下位置Ｐを押下したとすると、押下位置Ｐにおいて抵抗膜２１１、２２１同士が互いに接触した状態となる。この場合、ＡＤＣ１３１Ｘは、入力された抵抗膜２２１の押下位置Ｐに生じる電圧を反映した出力値を出力する。このとき、電流供給部１１と接地電位との間に形成される回路は、図６Ａに示す等価回路で表される。そして、抵抗膜２２１の押下位置Ｐに生じる電圧は、下記式（１）で表される。
Ｖｘ［Ｐ：ＯＮ］＝｛（Ｒｘ２＋Ｒｔ）／（Ｒｓ＋Ｒｘ１＋Ｒｘ２＋Ｒｔ）｝×Ｖｃ
・・・式（１）
ここで、Ｖｘ［Ｐ：ＯＮ］は、抵抗膜２２１の押下位置Ｐに生じる電圧を表し、Ｖｃは電流供給部１１から出力される電圧を表す。また、Ｒｘ１は、抵抗膜２２１における押下位置Ｐと電極２２２との間のＸ軸方向の等価抵抗を表し、Ｒｘ２は、抵抗膜２２１における押下位置Ｐと電極２２３との間のＸ軸方向の等価抵抗を表す。更に、Ｒｓは、電極２２２とスイッチング素子ＳＷ２１との間の抵抗成分を表し、Ｒｔは、電極２２３とスイッチング素子ＳＷ２２との間の抵抗成分を表す。これらの抵抗成分Ｒｓ、Ｒｔは、例えば配線抵抗である。電圧Ｖｘ［Ｐ：ＯＮ］は、図６Ｃに示すように、押下位置Ｐに応じてダイナミックレンジΔＶＯＮの範囲の電圧となる。
【００３３】
図４に戻って、次に、ＡＤＣ１３１Ｘは、抵抗膜２１１および電極２１３を介して入力される抵抗膜２２１の押下位置Ｐに生じる電圧Ｖ［Ｐ：ＯＮ］を反映した値を、座標算出部１３３へ出力する（ステップＳ１０２）。このとき、ＡＤＣ１３１Ｙは、接地電位を反映した値を出力する。そして、座標算出部１３３は、ＡＤＣ１３１Ｘから出力される値のみを取得する。続いて、スイッチ制御部１３２は、スイッチング素子ＳＷ１１、ＳＷ１２をオフする（ステップＳ１０３）。
【００３４】
その後、スイッチ制御部１３２は、スイッチング素子ＳＷ１３、ＳＷ１４をオンする（ステップＳ１０４）。このとき、図５Ｂに示すように、電流供給部１１が、固定電極板２１の電極２１２、２１３間のみに一定の電圧Ｖｃを印加した状態となる。ここで、ユーザが押下位置Ｐを押下し、押下位置Ｐにおいて抵抗膜２１１、２２１同士が互いに接触した状態となると、ＡＤＣ１３１Ｙは、入力された抵抗膜２１１の押下位置Ｐに生じる電圧を反映した出力値を出力する。このとき、抵抗膜２１１の押下位置Ｐに生じる電圧は、下記式（２）で表される。
Ｖｙ［Ｐ：ＯＮ］＝｛（Ｒｙ２＋Ｒｔ）／（Ｒｓ＋Ｒｙ１＋Ｒｙ２＋Ｒｔ）｝×Ｖｃ
・・・式（２）
ここで、Ｖｙ［Ｐ：ＯＮ］は、抵抗膜２２１の押下位置Ｐに生じる電圧を表し、Ｖｃは電流供給部１１から出力される電圧を表す。また、Ｒｙ１は、抵抗膜２１１における押下位置Ｐと電極２１２との間のＹ軸方向の等価抵抗を表し、Ｒｙ２は、抵抗膜２１１における押下位置Ｐと電極２１３との間のＹ軸方向の等価抵抗を表す。更に、Ｒｓは、電極２１２とスイッチング素子ＳＷ２３との間の抵抗成分を表し、Ｒｔは、電極２１３とスイッチング素子ＳＷ２４との間の抵抗成分を表す。電圧Ｖｙ［Ｐ：ＯＮ］は、図６Ｃに示すように、押下位置Ｐに応じてダイナミックレンジΔＶＯＮの範囲の電圧となる。
【００３５】
図４に戻って、次に、ＡＤＣ１３１Ｙは、抵抗膜２２１および電極２２３を介して入力される抵抗膜２１１の押下位置Ｐに生じる電圧Ｖｙ［Ｐ：ＯＮ］を反映した値を、座標算出部１３３へ出力する（ステップＳ１０５）。このとき、ＡＤＣ１３１Ｘは、接地電位を反映した値を出力する。そして、座標算出部１３３は、ＡＤＣ１３１Ｙから出力される値のみを取得する。続いて、スイッチ制御部１３２は、スイッチング素子ＳＷ１３、ＳＷ１４をオフする（ステップＳ１０６）。
【００３６】
その後、座標算出部１３３は、ＡＤＣ１３１Ｘ、ＡＤＣ１３１Ｙそれぞれから取得した値に基づいて、押下位置ＰのＸ軸方向の座標値とＹ軸方向の座標値とを算出し、算出した座標値を示す座標情報を生成してＣＰＵ３へ出力する（ステップＳ１０７）。ここで、座標算出部１３３は、相関情報記憶部１４１から通常モードに対応する相関情報を取得し、取得した相関情報が示す関係式を用いて座標値を算出する。この関係式は、前述のように、例えば押下位置Ｐに生じる電圧Ｖｘ［Ｐ：ＯＮ］（Ｖｙ［Ｐ：ＯＮ］）の電圧値を引数としてＸ軸方向（Ｙ軸方向）の座標値を求める一次関数で表される。
【００３７】
次に、スイッチ制御部１３２は、ＣＰＵ３からタッチパネル駆動回路１を限流モードで動作するよう指令する限流モード指令情報が入力されたか否かを判定する（ステップＳ１０８）。スイッチ制御部１３２により限流モード指令情報が入力されていないと判定されると（ステップＳ１０８：Ｎｏ）、後述するステップＳ１１１の処理が実行される。一方、スイッチ制御部１３２は、限流モード指令情報が入力されたと判定すると（ステップＳ１０８：Ｙｅｓ）、スイッチング素子ＳＷ２１、ＳＷ２２、ＳＷ２３、ＳＷ２４を全てオフにする（ステップＳ１０９）。続いて、座標算出部１３３は、使用する相関情報を限流モードに対応する相関情報に変更する（ステップＳ１１０）。ここで、スイッチ制御部１３２は、図７Ａに示すように、時刻Ｔ１１にスイッチング素子ＳＷ２１、ＳＷ２２、ＳＷ２３、ＳＷ２４を全てオフにした後、基準時間ΔＴ１だけ経過した時刻Ｔ１２に切替完了通知信号を座標算出部１３３へ出力する。一方、座標算出部１３３は、スイッチ制御部１３２から切替完了通知信号が入力されると、使用する相関情報を限流モードに対応する相関情報に変更する。
【００３８】
その後、スイッチ制御部１３２は、ＣＰＵ３からタッチパネル駆動回路１を通常モードで動作するよう指令する通常モード指令情報が入力されたか否かを判定する（ステップＳ１１１）。スイッチ制御部１３２は、通常モード指令情報が入力されていないと判定すると（ステップＳ１１１：Ｎｏ）、再びスイッチング素子ＳＷ１１、ＳＷ１２をオンする（ステップＳ１０１）。このとき、前述のように、電流供給部１１が、可動電極板２２の電極２２２、２２３間のみに一定の電圧Ｖｃを印加した状態となる。ここで、ユーザが押下位置Ｐを押下し、押下位置Ｐにおいて抵抗膜２１１、２２１同士が互いに接触した状態となると、ＡＤＣ１３１Ｘは、入力された抵抗膜２２１の押下位置Ｐに生じる電圧を反映した値を出力する。このとき、電流供給部１１と接地電位との間に形成される回路は、図６Ｂに示す等価回路で表される。そして、抵抗膜２２１の押下位置Ｐに生じる電圧は、下記式（３）で表される。
Ｖｘ［Ｐ：ＯＦＦ］＝｛（Ｒｘ２＋Ｒｔ＋Ｒ２２）／（Ｒ２１＋Ｒｓ＋Ｒｘ１＋Ｒｘ２＋Ｒｔ＋Ｒ２２）｝×Ｖｃ
・・・式（３）
ここで、Ｖｘ［Ｐ：ＯＦＦ］は、抵抗膜２２１の押下位置Ｐに生じる電圧を表し、Ｖｃ、Ｒｘ１、Ｒｘ２、ＲｓおよびＲｔは、前述の式（１）の場合と同様である。また、Ｒ２１、Ｒ２２は、抵抗Ｒ２１、Ｒ２２それぞれの抵抗値を示す。この場合、電圧Ｖｘ［Ｐ：ＯＮ］は、図６Ｃに示すように、押下位置Ｐに応じてダイナミックレンジΔＶＯＦＦの範囲の電圧となる。そして、ΔＶＯＦＦの範囲は、ΔＶＯＮの範囲に比べて狭い範囲となる。従って、タッチパネル駆動回路１の限流モード動作時におけるＸ軸方向およびＹ軸方向の分解能に相当する長さは、タッチパネル駆動回路１の通常モード動作時におけるＸ軸方向およびＹ軸方向の分解能に相当する長さよりも長くなる。
【００３９】
図４に戻って、次に、ＡＤＣ１３１Ｘは、抵抗膜２１１および電極２１３を介して入力される抵抗膜２２１の押下位置Ｐに生じる電圧Ｖ［Ｐ：ＯＦＦ］を反映した値を、座標算出部１３３へ出力し（ステップＳ１０２）、座標算出部１３３は、ＡＤＣ１３１Ｘから出力される値のみを取得する。続いて、スイッチ制御部１３２は、スイッチング素子ＳＷ１１、ＳＷ１２をオフする（ステップＳ１０３）。
【００４０】
その後、スイッチ制御部１３２は、スイッチング素子ＳＷ１３、ＳＷ１４をオンする（ステップＳ１０４）。このとき、前述のように、電流供給部１１が、固定電極板２１の電極２１２、２１３間のみに一定の電圧Ｖｃを印加した状態となる。ここで、ユーザが位置Ｐを押下し、位置Ｐにおいて抵抗膜２１１、２２１同士が互いに接触した状態となると、ＡＤＣ１３１Ｙは、入力された抵抗膜２１１の押下位置Ｐに生じる電圧を反映した値を出力する。このとき、抵抗膜２１１の押下位置Ｐに生じる電圧は、下記式（４）で表される。
Ｖｙ［Ｐ：ＯＦＦ］＝｛（Ｒｙ２＋Ｒｔ＋Ｒ２４）／（Ｒ２３＋Ｒｓ＋Ｒｙ１＋Ｒｙ２＋Ｒｔ＋Ｒ２４）｝×Ｖｃ
・・・式（４）
ここで、Ｖｙ［Ｐ：ＯＦＦ］は、抵抗膜２１１の押下位置Ｐに生じる電圧を表し、Ｖｃ、Ｒｙ１、Ｒｙ２、ＲｓおよびＲｔは、前述の式（２）の場合と同様である。また、Ｒ２３、Ｒ２４は、抵抗Ｒ２３、Ｒ２４それぞれの抵抗値を示す。電圧Ｖｙ［Ｐ：ＯＦＦ］は、図６Ｃに示すように、押下位置Ｐに応じて、ダイナミックレンジΔＶＯＮの範囲に比べて狭いダイナミックレンジΔＶＯＦＦの範囲の電圧となる。従って、タッチパネル駆動回路１の限流モード動作時におけるＹ軸方向の分解能に相当する長さは、タッチパネル駆動回路１の通常モード動作時におけるＹ軸方向の分解能に相当する長さよりも長くなる。
【００４１】
図４に戻って、次に、ＡＤＣ１３１Ｙは、抵抗膜２２１および電極２２３を介して入力される抵抗膜２１１の押下位置Ｐに生じる電圧Ｖｙ［Ｐ：ＯＦＦ］を反映した値を、座標算出部１３３へ出力する（ステップＳ１０５）。そして、座標算出部１３３は、ＡＤＣ１３１Ｙから出力される値のみを取得する。続いて、スイッチ制御部１３２は、スイッチング素子ＳＷ１３、ＳＷ１４をオフする（ステップＳ１０６）。その後、再びステップＳ１０７の処理が実行される。
【００４２】
また、前述のステップＳ１１１において、スイッチ制御部１３２が、通常モード指令情報が入力されたと判定すると（ステップＳ１１１：Ｙｅｓ）、再びスイッチング素子ＳＷ２１、ＳＷ２２、ＳＷ２３、ＳＷ２４を全てオンにする（ステップＳ１１２）。その後、座標算出部１３３は、使用する相関情報を通常モードに対応する相関情報に変更する（ステップＳ１１３）。ここで、スイッチ制御部１３２は、図７Ｂに示すように、時刻Ｔ２１にスイッチング素子ＳＷ２１、ＳＷ２２、ＳＷ２３、ＳＷ２４を全てオンにした後、基準時間ΔＴ１だけ経過した時刻Ｔ２２に切替完了通知信号を座標算出部１３３へ出力する。一方、座標算出部１３３は、スイッチ制御部１３２から切替完了通知信号が入力されると、使用する相関情報を通常モードに対応する相関情報に変更する。次に、再びステップＳ１０１の処理が実行される。
【００４３】
ところで、タッチパネル駆動回路１が通常モードで動作する場合、スイッチング素子ＳＷ１１、ＳＷ１２のみをオンしたときに、抵抗膜２２１に流れる電流の電流値である第１電流値は、ＡＤＣ１３１Ｘの入力抵抗が十分に高いことから、下記式（５）の関係式で表される。
Ｉｘ［ＯＮ］＝Ｖｃ／（Ｒｓ＋Ｒｘ１＋Ｒｘ２＋Ｒｔ）      ・・・式（５）
ここで、Ｉｘ［ＯＮ］は、抵抗膜２２１に流れる電流の第１電流値を示す。なお、Ｖｃ、Ｒｓ、Ｒｔ、Ｒｘ１、Ｒｘ２は、式（１）の場合と同様である。また、スイッチング素子ＳＷ１３、ＳＷ１４のみをオンしたときに、抵抗膜２１１に流れる電流の電流値である第１電流値は、ＡＤＣ１３１Ｙの入力抵抗が十分に高いことから、下記式（６）の関係式で表される。
Ｉｙ［ＯＮ］＝Ｖｃ／（Ｒｓ＋Ｒｙ１＋Ｒｙ２＋Ｒｔ）      ・・・式（６）
ここで、Ｉｙ［ＯＮ］は、抵抗膜２１１に流れる電流の第１電流値を示す。なお、Ｖｃ、Ｒｓ、Ｒｔ、Ｒｙ１、Ｒｙ２は、式（２）の場合と同様である。
【００４４】
一方、タッチパネル駆動回路１が限流モードで動作する場合、スイッチング素子ＳＷ１１、ＳＷ１２のみをオンしたときに、抵抗膜２２１に流れる電流の電流値である第２電流値は、ＡＤＣ１３１Ｘの入力抵抗が十分に高いことから、下記式（７）の関係式で表される。
Ｉｘ［ＯＦＦ］＝Ｖｃ／（Ｒ２１＋Ｒｓ＋Ｒｘ１＋Ｒｘ２＋Ｒｔ＋Ｒ２２）      ・・・式（７）
ここで、Ｉｘ［ＯＦＦ］は、抵抗膜２２１に流れる電流の第２電流値を示す。なお、Ｖｃ、Ｒｓ、Ｒｔ、Ｒｘ１、Ｒｘ２、Ｒ２１、Ｒ２２は、式（３）の場合と同様である。また、スイッチング素子ＳＷ１３、ＳＷ１４のみをオンしたときに、抵抗膜２２１に流れる電流の電流値である第２電流値は、ＡＤＣ１３１Ｙの入力抵抗が十分に高いことから、下記式（８）の関係式で表される。
Ｉｙ［ＯＦＦ］＝Ｖｃ／（Ｒ２３＋Ｒｓ＋Ｒｙ１＋Ｒｙ２＋Ｒｔ＋Ｒ２４）      ・・・式（８）
ここで、Ｉｙ［ＯＦＦ］は、抵抗膜２１１に流れる電流の第２電流値を示す。なお、Ｖｃ、Ｒｓ、Ｒｔ、Ｒｙ１、Ｒｙ２、Ｒ２３、Ｒ２４は、式（４）の場合と同様である。
【００４５】
そして、式（５）から（８）より、下記式（９）および式（１０）の関係式が成立する。
Ｉｘ［ＯＦＦ］／Ｉｘ［ＯＮ］＝（Ｒｓ＋Ｒｘ１＋Ｒｘ２＋Ｒｔ）／（Ｒ２１＋Ｒｓ＋Ｒｘ１＋Ｒｘ２＋Ｒｔ＋Ｒ２２）      ・・・式（９）
Ｉｙ［ＯＦＦ］／Ｉｙ［ＯＮ］＝（Ｒｓ＋Ｒｙ１＋Ｒｙ２＋Ｒｔ）／（Ｒ２１＋Ｒｓ＋Ｒｙ１＋Ｒｙ２＋Ｒｔ＋Ｒ２２）      ・・・式（１０）
【００４６】
式（９）および式（１０）から、Ｉｘ［ＯＦＦ］／Ｉｘ［ＯＮ］およびＩｙ［ＯＦＦ］／Ｉｙ［ＯＮ］は、いずれも１未満となる、即ち、電流切替部１２は、電流供給部１１から抵抗膜２１１、２２１へ供給される電流の電流値を、第１電流値Ｉｘ［ＯＮ］（Ｉｙ［ＯＮ］）から第１電流値Ｉｘ［ＯＮ］（Ｉｙ［ＯＮ］）よりも小さい第２電流値Ｉｘ［ＯＦＦ］（Ｉｙ［ＯＦＦ］）に切り替える。これにより、タッチパネル駆動回路１の動作モードが、通常モードから限流モードに切り替わる。
【００４７】
次に、本実施の形態に係るタッチパネル装置１００が実行する動作モード指令処理について図８を参照しながら説明する。この動作モード指令処理は、例えばタッチパネル装置１００へ電源が投入されたことを契機として開始される。また、動作モード記憶部５３は、当初、タッチパネル駆動回路１が通常モードであることを示す動作モード情報を記憶しているものとする。
【００４８】
まず、判定部３１は、タッチパネル駆動回路１の座標算出部１３３から出力される座標情報を取得する（ステップＳ２０１）。次に、判定部３１は、閾値情報記憶部５４から座標閾値情報を取得し、座標情報が示すＸ軸方向の座標値Ｘｄｅｔが座標閾値Ｘｔｈ以下であり且つＹ軸方向の座標値Ｙｄｅｔが座標閾値Ｙｔｈ以下であるか否かを判定する（ステップＳ２０２）。ユーザがタッチパネル２にタッチしていない場合、座標情報が示すＸ軸方向の座標値Ｘｄｅｔが座標閾値Ｘｔｈ以下であり且つＹ軸方向の座標値Ｙｄｅｔが座標閾値Ｙｔｈ以下となる。言い換えると、座標情報が、図９に示すクロスハッチで示した領域ＡＲｄ１内の座標を示す場合、ユーザによりタッチパネル２がタッチされていないと判定される。図８に戻って、判定部３１が、Ｘ軸方向の座標値Ｘｄｅｔが座標閾値Ｘｔｈ以下であり且つＹ軸方向の座標値Ｙｄｅｔが座標閾値Ｙｔｈ以下であると判定したとする（ステップＳ２０２：Ｙｅｓ）。この場合、判定部３１は、計時部３５から入力される時刻情報に基づいて、最初にＸ軸方向の座標値Ｘｄｅｔが座標閾値Ｘｔｈ以下であり且つＹ軸方向の座標値Ｙｄｅｔが座標閾値Ｙｔｈ以下であると判定されたときからの経過時間を算出する（ステップＳ２０３）。なお、判定部３１が、初めてＸ軸方向の座標値Ｘｄｅｔが座標閾値Ｘｔｈ以下であり且つＹ軸方向の座標値Ｙｄｅｔが座標閾値Ｙｔｈ以下であると判定したとする。この場合、判定部３１は、その時点の時刻情報を計時部３５から取得し、前述の主記憶部４の時刻記憶領域に記憶させる。
【００４９】
次に、判定部３１は、閾値情報記憶部５４から経過時間閾値情報を取得し、算出した経過時間が取得した経過時間閾値情報が示す経過時間閾値以上であるか否かを判定する（ステップＳ２０４）。判定部３１は、経過時間が取得した経過時間閾値情報が示す経過時間閾値未満であると判定すると（ステップＳ２０４：Ｎｏ）、再びステップＳ２０１の処理を実行する。一方、判定部３１が、経過時間が取得した経過時間閾値情報が示す経過時間閾値以上であると判定したとする（ステップＳ２０４：Ｙｅｓ）。この場合、指令部３２は、動作モード記憶部５３が記憶する動作モード情報を参照して、タッチパネル駆動回路１の動作モードが限流モードであるか否かを判定する（ステップＳ２０５）。指令部３２によりタッチパネル駆動回路１の動作モードが限流モードであると判定されると（ステップＳ２０５：Ｙｅｓ）、再びステップＳ２０１の処理が実行される。
【００５０】
一方、指令部３２が、タッチパネル駆動回路１の動作モードが通常モードであると判定したとする（ステップＳ２０５：Ｎｏ）。この場合、指令部３２は、タッチパネル駆動回路１を限流モードにするために、スイッチング素子ＳＷ２１、ＳＷ２２、ＳＷ２３、ＳＷ２４をオフするよう指令するオフ指令情報をタッチパネル駆動回路１のスイッチ制御部１３２へ出力する（ステップＳ２０６）。続いて、ステップＳ２０１の処理が再び実行される。
【００５１】
また、ステップＳ２０２において、判定部３１が、Ｘ軸方向の座標値Ｘｄｅｔが座標閾値Ｘｔｈよりも大きい、または、Ｙ軸方向の座標値Ｙｄｅｔが座標閾値Ｙｔｈよりも大きいと判定したとする（ステップＳ２０２：Ｎｏ）。この場合、指令部３２は、動作モード記憶部５３が記憶する動作モード情報を参照して、タッチパネル駆動回路１の動作モードが限流モードであるか否かを判定する（ステップＳ２０７）。指令部３２によりタッチパネル駆動回路１の動作モードが通常モードであると判定されると（ステップＳ２０７：Ｎｏ）、再びステップＳ２０１の処理が実行される。
【００５２】
一方、指令部３２が、タッチパネル駆動回路１の動作モードが限流モードであると判定したとする（ステップＳ２０７：Ｙｅｓ）。この場合、指令部３２は、タッチパネル駆動回路１を通常モードにするために、スイッチング素子ＳＷ２１、ＳＷ２２、ＳＷ２３、ＳＷ２４をオンするよう指令するオン指令情報をタッチパネル駆動回路１のスイッチ制御部１３２へ出力する（ステップＳ２０８）。続いて、ステップＳ２０１の処理が再び実行される。
【００５３】
以上説明したように、本実施の形態に係るタッチパネル装置１００では、電流切替部１２が、電流供給部１１からタッチパネル２が有する抵抗膜２１１、２２１へ供給される電流の電流値を、第１電流値と第１電流値よりも小さい第２電流値とのいずれかに切り替える。これにより、抵抗膜２１１、２２１で消費される消費電力を削減することができるので、その分、タッチパネル装置１００で消費される消費電力を低減できる。
【００５４】
また、本実施の形態に係るタッチパネル駆動回路１は、限流モードで動作する場合、図６Ｃに示すように、抵抗膜２１１、２２１内における任意の押下位置Ｐに生じる電位が接地電位よりも高くなる。これにより、ＡＤＣ１３１Ｘ、１３１Ｙへ入力される電圧に含まれるノイズ成分が除去され易くなるので、ノイズ成分に起因した押下位置Ｐの誤認識の発生が抑制される。
【００５５】
更に、本実施の形態に係るタッチパネル駆動回路１では、抵抗Ｒ２１の抵抗値と抵抗Ｒ２２の抵抗値とが等しく、抵抗Ｒ２３の抵抗値と抵抗Ｒ２４の抵抗値とが互いに等しい。これにより、タッチパネル駆動回路１が通常モードで動作する場合に抵抗膜２１１、２２１の中央部に生じる電圧と、限流モードで動作する場合に抵抗膜２１１、２２１の中央部に生じる電圧とが等しくなる。従って、例えば抵抗膜２１１、２２１の抵抗値の経時変化に伴い相関情報記憶部１４１が記憶する相関情報を更新する必要が生じた場合、抵抗膜２１１、２２１の中央部に生じる電圧を基準にして新たな相関情報を生成することができる。それ故、新たな相関情報の生成が簡単になるという利点がある。
【００５６】
また、本実施の形態に係るタッチパネル装置１００では、判定部３１によりタッチパネル２が予め設定された経過時間閾値以上の間押下されていないと判定されると、指令部３２が、オフ指令情報をスイッチ制御部１３２へ出力する。これにより、タッチパネル駆動回路１が通常モードで動作している状態で、ユーザにタッチパネル２が操作されず長時間放置されることが防止されるので、タッチパネル装置１００の消費電力が低減される。
【００５７】
更に、本実施の形態に係るタッチパネル装置１００では、判定部３１が、座標算出部１３３により算出される座標値に基づいて、ユーザによりタッチパネル２における予め設定された領域、即ち、Ｘ軸方向の座標値が座標閾値Ｘｔｈ以上であり且つＹ軸方向の座標値が座標閾値Ｙｔｈ以上の領域が押下されたか否かを判定する。そして、判定部３１によりユーザがタッチパネル２における前述の領域を押下したと判定されると、オン指令情報をスイッチ制御部１３２へ出力する。これにより、座標閾値Ｘｔｈ、Ｙｔｈを適宜変更してタッチパネル駆動回路１を限流モードで動作させる頻度を変更することにより、消費電力の低減効果を選択することが可能となる。
【００５８】
また、本実施の形態に係るタッチパネル駆動回路１は、限流モードで動作する場合のＡＤＣ１３１Ｘ、１３１Ｙの出力値と座標値との相関関係を示す第１相関情報と、通常モードで動作する場合のＡＤＣ１３１Ｘ、１３１Ｙの出力値と座標値との相関関係を示す第２相関情報と、を記憶する相関情報記憶部１４１を有する。これにより、座標算出部１３３は、タッチパネル駆動回路１が限流モードで動作する場合と通常モードで動作する場合とのそれぞれにおいて、座標値を精度よく算出することができる。
【００５９】
（実施の形態２）
本実施の形態に係るタッチパネル装置は、表示部に表示される操作画面画像の種類に応じて、タッチパネル駆動回路を通常モードまたは限流モードのいずれかで動作させる。具体的には、本実施の形態に係るタッチパネル装置は、表示部に表示される操作画面画像に含まれる操作釦画像の寸法および間隔がタッチパネル駆動回路の限流モード動作時におけるタッチパネルの分解能に相当する長さ以下の場合、タッチパネル駆動回路を通常モードで動作させる。一方、タッチパネル装置は、表示部に表示される操作画面画像に含まれる操作釦画像の寸法および間隔が、タッチパネル駆動回路の限流モード動作時におけるタッチパネルの分解能に相当する長さ以上の場合、タッチパネル駆動回路を限流モードで動作させる。即ち、タッチパネル装置は、操作画面画像の仕様がタッチパネル駆動回路の限流モード動作時におけるタッチパネルの分解能に適合する場合、タッチパネル駆動回路を限流モードで動作させる。
【００６０】
図１０に示すように、本実施の形態に係るタッチパネル装置２００では、ＣＰＵ３が、補助記憶部５が記憶するプログラムを主記憶部４に読み出して実行することにより、判定部３１、指令部２３２、処理部２３３および表示制御部３４として機能する。補助記憶部５は、画像情報記憶部５１と処理情報記憶部５２とを有する。なお、図１０において実施の形態１と同様の構成については図３と同一の符号を付している。また、タッチパネル装置２００のハードウェア構成は、実施の形態１に係るタッチパネル装置１００と同様である。
【００６１】
処理部２３３は、処理情報記憶部５２から、通知された操作情報に対応する処理情報を取得し、取得した処理情報に基づいて処理を実行する。また、処理部２３３は、処理を実行した結果、確認画面画像を表示部６に表示させるイベントが発生したか否かを判定する。そして、処理部２３３は、確認画面画像を表示部６に表示させるイベントが発生したと判定すると、確認画面表示イベント発生通知を指令部２３２へ通知する。
【００６２】
指令部２３２は、表示部６に表示される操作画面画像を示す画像情報に応じて、スイッチング素子ＳＷ２１、ＳＷ２２、ＳＷ２３、ＳＷ２４をオフにするよう指令するオフ指令情報またはこれらをオンにするよう指令するオン指令情報をスイッチ制御部１３２へ出力する。指令部２３２は、表示部６に表示される操作画面画像に含まれる操作釦画像の寸法および間隔が、タッチパネル駆動回路１の限流モード動作時におけるタッチパネル２の分解能に相当する長さ以下の場合、オン指令情報をスイッチ制御部１３２へ出力する。一方、指令部２３２は、表示部６に表示される操作画面画像に含まれる操作釦画像の寸法および間隔が、タッチパネル駆動回路１の限流モード動作時におけるタッチパネル２の分解能に相当する長さよりも長い場合、オフ指令情報をスイッチ制御部１３２へ出力する。即ち、指令部２３２は、操作画面画像の仕様がタッチパネル駆動回路１の限流モード動作時におけるタッチパネル２の分解能に適合する場合、オフ指令情報をスイッチ制御部１３２へ出力する。本実施の形態では、初期画面画像および確認画面画像に含まれる操作釦画像の寸法および間隔が、タッチパネル駆動回路１の限流モード動作時のタッチパネル２の分解能に相当する長さ以上であり、メニュー画面画像に含まれる操作釦画像の寸法および間隔が、タッチパネル駆動回路１の限流モード動作時のタッチパネル２の分解能に相当する長さよりも短いものとする。指令部２３２は、処理部２３３から確認画面表示イベント発生通知が通知されると、オフ指令情報をスイッチ制御部１３２へ出力する。
【００６３】
次に、本実施の形態に係るタッチパネル装置２００が実行する動作モード指令処理について図１１から図１３を参照しながら説明する。この動作モード指令処理は、例えばタッチパネル装置２００へ電源が投入されたことを契機として開始される。また、この動作モード指令処理では、表示部６にユーザに予め設定された処理の実行を確認するための確認画面画像を表示した場合にユーザがその処理の実行を了承する旨の操作釦を選択するとその処理が実行された後、表示部６に初期画面画像が表示される。
【００６４】
まず、指令部２３２は、タッチパネル駆動回路１を限流モードにするために、スイッチング素子ＳＷ２１、ＳＷ２２、ＳＷ２３、ＳＷ２４をオフするよう指令するオフ指令情報をタッチパネル駆動回路１のスイッチ制御部１３２へ出力する（ステップＳ３０１）。次に、表示制御部３４は、画像情報記憶部５１から初期画面画像を示す初期画面情報を取得し、取得した初期画面情報に対応する初期画面画像を表示部６に表示させる（ステップＳ３０２）。例えば図１２Ａに示すように、初期画面画像６１ａは、中央部に縦幅がΔＹ１であり横幅ΔＸ１である１つの操作釦画像Ｂ１を含む画像である。なお、初期画面画像は、これに限定されるものではなく、他の任意の図形画像または文字情報が配置されたものであってもよい。
【００６５】
図１１に戻って、続いて、判定部３１は、タッチパネル駆動回路１の座標算出部１３３から座標情報を取得し（ステップＳ３０３）、座標情報が示す座標値に基づいてユーザが操作釦を選択したか否かを判定する（ステップＳ３０４）。ここで、判定部３１は、座標算出部１３３から取得した座標情報が示すＸ軸方向の座標値とＹ軸方向の座標値とがそれぞれ操作釦画像Ｂ１の内側の領域に含まれる位置の座標値であれば操作釦を選択したと判定する。判定部３１は、ユーザが操作釦を選択していないと判定される限り（ステップＳ３０４：Ｎｏ）、ステップＳ３０３の処理を繰り返す。
【００６６】
一方、判定部３１が、ユーザが操作釦を選択したと判定したとする（ステップＳ３０４：Ｙｅｓ）。この場合、指令部３２は、タッチパネル駆動回路１を通常モードにするために、スイッチング素子ＳＷ２１、ＳＷ２２、ＳＷ２３、ＳＷ２４をオンするよう指令するオン指令情報をスイッチ制御部１３２へ出力する（ステップＳ３０５）。その後、表示制御部３４は、画像情報記憶部５１からメニュー画面画像を示すメニュー画面情報を取得し、取得したメニュー画面情報に対応するメニュー画面画像を表示部６に表示させる（ステップＳ３０６）。例えば図１２Ｂに示すように、メニュー画面画像６２ａは、縦幅がΔＹ２１、横幅ΔＸ２１の複数の操作釦画像Ｂ２が縦方向にΔＹ２２、横方向にΔＸ２２の間隔を開けて格子状に並んだ画像である。ここで、長さΔＸ２１、ΔＸ２２は、タッチパネル駆動回路１の通常モード動作時におけるタッチパネル２のＸ軸方向の分解能に相当する長さよりも長い。また、長さΔＸ２１、ΔＸ２２は、タッチパネル駆動回路１の限流モード動作時におけるタッチパネル２のＸ軸方向の分解能に相当する長さ以下である。長さΔＹ２１、Δ２２は、タッチパネル駆動回路１の通常モード動作時におけるＹ軸方向の分解能に相当する長さよりも長い。長さΔＹ２１、Δ２２は、タッチパネル駆動回路１の限流モード動作時におけるＹ軸方向の分解能に相当する長さ以下である。なお、メニュー画面画像は、これに限定されるものではなく、他の任意の図形画像または文字情報が配置されたものであってもよい。
【００６７】
図１１に戻って、続いて、判定部３１は、タッチパネル駆動回路１の座標算出部１３３から座標情報を取得し（ステップＳ３０７）、座標情報が示す座標値に基づいてユーザが操作釦を選択したか否かを判定する（ステップＳ３０８）。ここで、判定部３１は、座標算出部１３３から取得した座標情報が示すＸ軸方向の座標値とＹ軸方向の座標値とがそれぞれ複数の操作釦画像Ｂ２のいずれかの内側の領域に含まれる位置の座標値であればその操作釦を選択したと判定する。判定部３１は、ユーザが操作釦を選択していないと判定される限り（ステップＳ３０８：Ｎｏ）、ステップＳ３０７の処理を繰り返す。
【００６８】
一方、判定部３１が、ユーザが操作釦を選択したと判定したとする（ステップＳ３０８：Ｙｅｓ）。この場合、判定部３１は、操作釦に対応する操作情報を処理部２３３へ通知し（ステップＳ３０９）、処理部２３３は、処理情報記憶部５２から、通知された操作情報に対応する処理情報を取得し、取得した処理情報に基づいて処理を実行する（ステップＳ３１０）。その後、処理部２３３は、図１３に示すように、処理を実行した結果、確認画面画像を表示部６に表示させるイベントが発生したか否かを判定する（ステップＳ３１１）。処理部２３３により確認画面画像を表示部６に表示させるイベントが発生したと判定されると（ステップＳ３１１：Ｙｅｓ）、処理部２３３は、確認画面表示イベント発生通知を指令部２３２へ通知する。そして、指令部２３２は、確認画面表示イベント発生通知が通知されると、オフ指令情報をスイッチ制御部１３２へ出力する（ステップＳ３１２）。
【００６９】
次に、表示制御部３４は、画像情報記憶部５１から確認画面画像を示す確認画面情報を取得し、取得したメニュー画面情報に対応するメニュー画面画像を表示部６に表示させる（ステップＳ３１３）。例えば図１２Ｃに示すように、確認画面画像６３ａは、縦幅がΔＹ３１、横幅ΔＸ３の２つの操作釦画像Ｂ３１、Ｂ３２が縦方向にΔＹ３２の間隔を開けて並んだ画像である。２つの操作釦画像Ｂ３１、Ｂ３２は、それぞれ”ＹＥＳ”釦と”ＮＯ”釦に対応する。ここで、長さΔＸ３は、タッチパネル駆動回路１の限流モード動作時におけるタッチパネル２のＸ軸方向の分解能に相当する長さよりも長い。また、長さΔＹ３１、Δ３２は、タッチパネル駆動回路１が限流モード動作時におけるタッチパネル２のＹ軸方向の分解能に相当する長さよりも長い。なお、確認画面画像は、これに限定されるものではなく、他の任意の図形画像または文字情報が配置されたものであってもよい。
【００７０】
図１３に戻って、続いて、判定部３１は、タッチパネル駆動回路１の座標算出部１３３から座標情報を取得し（ステップＳ３１４）、座標情報が示す座標値に基づいてユーザが”ＹＥＳ”釦を選択したか否かを判定する（ステップＳ３１５）。ここで、判定部３１は、座標算出部１３３から取得した座標情報が示すＸ軸方向の座標値とＹ軸方向の座標値とがそれぞれ”ＹＥＳ”釦に対応する操作釦画像Ｂ３１の内側の領域に含まれる位置の座標値であれば”ＹＥＳ”釦を選択したと判定する。判定部３１は、ユーザが”ＹＥＳ”釦を選択したと判定すると（ステップＳ３１５：Ｙｅｓ）、”ＹＥＳ”釦に対応する操作情報を処理部２３３へ通知する（ステップＳ３１６）。その後、処理部２３３は、処理情報記憶部５２から、通知された操作情報に対応する処理情報を取得し、取得した処理情報に基づいて処理を実行する（ステップＳ３１７）。次に、図１１に示すように、表示制御部３４が、再び、画像情報記憶部５１から初期画面情報を取得して初期画面画像を表示部６に表示させる（ステップＳ３０２）。続いて、ステップＳ３０３以降の処理が実行される。
【００７１】
図１３に戻って、一方、判定部３１は、ユーザが”ＹＥＳ”釦を選択していないと判定すると（ステップＳ３１５：Ｎｏ）、ユーザが”ＮＯ”釦を選択したか否かを判定する（ステップＳ３１８）。ここで、判定部３１は、座標算出部１３３から取得した座標情報が示すＸ軸方向の座標値とＹ軸方向の座標値とがそれぞれ”ＮＯ”釦に対応する操作釦画像Ｂ３２の内側の領域に含まれる位置の座標値であれば”ＮＯ”釦を選択したと判定する。判定部３１は、ユーザが”ＮＯ”釦を選択していないと判定すると（ステップＳ３１８：Ｎｏ）、再びステップＳ３１４の処理を実行する。判定部３１は、ユーザが”ＹＥＳ”釦および”ＮＯ”釦のいずれも選択しない限り、ステップＳ３１４、Ｓ３１５およびＳ３１８の処理を繰り返し実行する。
【００７２】
一方、判定部３１によりユーザが”ＮＯ”釦を選択したと判定されると（ステップＳ３１８：Ｙｅｓ）、指令部３２は、オン指令情報をスイッチ制御部１３２へ出力する（ステップＳ３１９）。その後、図１１に示すように、表示制御部３４が、再び、画像情報記憶部５１からメニュー画面情報を取得してメニュー画面画像を表示部６に表示させる（ステップＳ３０６）。続いて、ステップＳ３０７以降の処理が実行される。
【００７３】
図１３に戻って、また、ステップＳ３１１において、処理部２３３は、確認画面画像を表示部６に表示させるイベントが発生していないと判定されると（ステップＳ３１１：Ｎｏ）、表示部６に表示させる操作画面画像の更新を要するイベントが発生したか否かを判定する（ステップＳ３２０）。処理部２３３により操作画面画像の更新を要するイベントが発生していないと判定されると（ステップＳ３２０：Ｎｏ）、そのまま図１１に示すステップＳ３０７以降の処理が実行される。一方、処理部２３３は、操作画面画像の更新を要するイベントが発生したと判定されると（ステップＳ３２０：Ｙｅｓ）、更新後の操作画面を示す画像情報の画像識別情報を含む画像更新要求情報を表示制御部３４へ通知する。そして、表示制御部３４は、画像情報記憶部５１か画像更新要求情報に含まれる画像識別情報に対応する画像情報を取得し、取得した画像情報が示す操作画面画像を表示部６に表示させる（ステップＳ３２１）。次に、図１１に示すステップＳ３０７以降の処理が実行される。
【００７４】
以上説明したように、本実施の形態に係るタッチパネル装置２００によれば、表示部６に表示される操作画面画像に応じて随時タッチパネル駆動回路１を限流モードで動作させる。これにより、タッチパネル駆動回路１が限流モードで動作する頻度が上昇するので、その分、タッチパネル駆動回路１での消費電力が低減される。
【００７５】
以上、本発明の実施の形態について説明したが、本発明は実施の形態によって限定されるものではない。例えば、タッチパネル装置が、実施の形態１に係る動作モード指令処理と実施の形態２に係る動作モード指令処理とを並行して実行するものであってもよい。
【００７６】
実施の形態１では、ユーザによりタッチパネル２が操作されない状態で経過時間閾値以上の時間が経過すると、指令部３２がスイッチ制御部１３２へオフ指令情報を出力し、タッチパネル駆動回路１が限流モードで動作する例について説明した。但し、指令部３２がスイッチ制御部１３２へオフ指令情報を出力するタイミングはこれに限定されるものではない。例えば、タッチパネル装置１００が起動してからの経過時間が予め設定された時間閾値以上となると、指令部３２がスイッチ制御部１３２へオフ指令情報を出力するようにしてもよい。或いは、表示制御部３４が、表示部６にタッチパネル駆動回路１の動作モードを設定するための設定画面画像を表示するものであってもよい。この場合、表示部６に設定画面画像が表示されている状態において、判定部３１によりタッチパネル駆動回路１を限流モードで動作するための操作釦が選択されたと判定されると、指令部３２がスイッチ制御部１３２へオフ指令情報を出力するようにすればよい。
【００７７】
本構成によれば、実施の形態に係るタッチパネル装置１００に比べてタッチパネル駆動回路１が限流モードで動作する頻度が上昇する。従って、その分、タッチパネル駆動回路１での消費電力が低減される。
【００７８】
実施の形態１において、座標閾値Ｘｔｈ、Ｙｔｈは任意に設定することができる。また、実施の形態１において、判定部３１が、座標情報が図１４Ａのクロスハッチ部分で示されたＹ軸方向の座標値Ｙｄｅｔが座標閾値Ｙｔｈ以下の領域ＡＲｄ２内の座標を示す場合、タッチパネル２がタッチされていないと判定してもよい。或いは、判定部３１は、座標情報が図１４Ｂのクロスハッチ部分で示されたＸ軸方向の座標値Ｘｄｅｔが座標閾値Ｘｔｈ以下の領域ＡＲｄ３内の座標を示す場合、タッチパネル２がタッチされていないと判定してもよい。更に、判定部３１は、座標情報が図１５Ａのクロスハッチ部分で示されたＸ軸方向の座標値Ｘｄｅｔが座標閾値Ｘｔｈ以下またはＹ軸方向の座標値Ｙｄｅｔが座標閾値Ｙｔｈ以下の領域ＡＲｄ４内の座標を示す場合、タッチパネル２がタッチされていないと判定してもよい。
【００７９】
また、判定部３１は、Ｘ軸方向についての２つの座標閾値Ｘｔｈ１、Ｘｔｈ２と、Ｙ軸方向についての２つの座標閾値Ｙｔｈ１、Ｙｔｈ２と、を用いて、ユーザによりタッチパネル２がタッチされているか否かを判定してもよい。判定部３１は、例えば座標情報が図１５Ｂのクロスハッチ部分で示された、Ｘ軸方向の座標値Ｘｄｅｔが座標閾値Ｘｔｈ１以下または座標閾値Ｘｔｈ２以上であり、Ｙ軸方向の座標値Ｙｄｅｔが座標閾値Ｙｔｈ１以下または座標閾値Ｙｔｈ２以上である領域ＡＲｄ５内の座標を示す場合、タッチパネル２がタッチされていないと判定してもよい。ここで、領域ＡＲｄ５は、図１５Ｂにおける領域（１）、（２）、（３）、（４）、（６）、（７）、（８）、（９）に相当する。或いは、判定部３１が、例えば座標情報が図１６のクロスハッチ部分で示された、Ｘ軸方向の座標値Ｘｄｅｔが座標閾値Ｘｔｈ１以下または座標閾値Ｘｔｈ２以上である領域ＡＲｄ６内の座標を示す場合、タッチパネル２がタッチされていないと判定してもよい。ここで、領域ＡＲｄ６は、図１５Ｂにおける領域（１）、（３）、（４）、（６）、（７）、（９）に相当する。なお、判定部３１によりタッチパネル２がタッチされていないと判定される場合の座標情報が示す座標は、図１５Ｂおよび図１６に示した領域ＡＲｄ５、ＡＲｄ６内の座標である場合に限定されない。例えば、座標情報が示す座標が、図１５Ｂおよび図１６に示す領域（１）、（２）、（３）、（４）、（６）、（７）、（８）、（９）の中から任意に選択した１から７つの領域内のいずれかに位置する場合、判定部３１が、タッチパネル２がタッチされていないと判定するようにしてもよい。
【００８０】
実施の形態２では、表示部６に表示される初期画面画像および確認画面画像に含まれる操作釦画像の寸法および間隔が、タッチパネル駆動回路１の限流モード動作時のタッチパネル２の分解能に相当する長さ以上である例について説明した。但し、操作画面画像に含まれる操作釦画像の寸法および間隔が、タッチパネル駆動回路１の限流モード動作時のタッチパネル２の分解能に相当する長さ以上の操作画面画像は、初期画面画像および確認画面画像に限定されるものではない。タッチパネル装置２００が、他のタッチパネル駆動回路１の限流モード動作時のタッチパネル２の分解能に相当する長さ以上である各種操作画面画像が表示部６に表示される場合にタッチパネル駆動回路１を限流モードで動作させてもよい。この場合、例えば画像情報記憶部５１が、各種操作画面画像を、限流モードで動作させるか否かを示す限流モードフラグ情報と対応づけて記憶するようにすればよい。そして、指令部２３２が、表示部６に表示される操作画面画像に対応する限流モードフラグ情報の内容に応じてオフ指令情報をスイッチ制御部１３２へ出力するようにすればよい。
【００８１】
各実施の形態では、本実施の形態に係るタッチパネル駆動回路１では、抵抗Ｒ２１の抵抗値と抵抗Ｒ２２の抵抗値とが等しく、抵抗Ｒ２３の抵抗値と抵抗Ｒ２４の抵抗値とが互いに等しい例について説明した。但し、これに限らず、抵抗Ｒ２１の抵抗値と抵抗Ｒ２２の抵抗値とが互いに異なっていてもよいし、或いは、抵抗Ｒ２３の抵抗値と抵抗Ｒ２４の抵抗値とが互いに異なっていてもよい。この場合、抵抗Ｒ２１、Ｒ２２、Ｒ２３、Ｒ２４として使用する抵抗の仕様の自由度が増えるので、タッチパネル駆動回路１が製造し易くなるという利点がある。
【００８２】
各実施の形態に係るタッチパネル駆動回路１において、抵抗Ｒ２１、Ｒ２２のいずれか一方が無いものであってもよいし、或いは、抵抗Ｒ２３、Ｒ２４のいずれか一方が無いものであってもよい。この場合、タッチパネル駆動回路１の部品点数を削減することができる。
【００８３】
各実施の形態に係る相関情報記憶部１４１が記憶する相関情報が、ＡＤＣ１３１Ｘ、１３１Ｙの出力電圧の電圧値とＸ軸方向およびＹ軸方向の座標との相関関係を示す関係式を表す例について説明した。但し、相関情報は関係式を示すものに限定されるものではなく、ＡＤＣ１３１Ｘ、１３１Ｙの出力電圧の電圧値とＸ軸方向およびＹ軸方向の座標との相関関係を示すルックアップテーブルであってもよい。
【００８４】
各実施の形態では、タッチパネル駆動回路１が限流モードで動作する場合、スイッチング素子ＳＷ２１、ＳＷ２２、ＳＷ２３、ＳＷ２４を全てオフにする例について説明した。但し、これに限らず、例えばタッチパネル駆動回路１が限流モードで動作する場合、スイッチング素子ＳＷ２１、ＳＷ２２のうちのいずれか１つとスイッチング素子ＳＷ２３、ＳＷ２４のうちのいずれか１つのみがオフであってもよい。
【００８５】
各実施の形態において、座標算出部１３３が、タッチパネル２上における予め設定された２箇所の位置それぞれに生じる電圧の電圧値と押下位置Ｐに生じる電圧の電圧値とに基づいて、押下位置ＰのＸ軸方向およびＹ軸方向の座標値を算出するものであってもよい。或いは、座標算出部１３３は、タッチパネル２上における予め設定された３箇所以上の位置それぞれに生じる電圧の電圧値と押下位置Ｐに生じる電圧の電圧値とに基づいて、押下位置ＰのＸ軸方向およびＹ軸方向の座標値を算出するものであってもよい。
【００８６】
各実施の形態において、タッチパネル装置１００が、光源、スピーカまたは振動源を備えるものであってもよい。そして、タッチパネル駆動回路１の動作モードが通常モードから限流モードへ変更される際、光源が点灯、点滅したりするようにしてもよい。或いは、タッチパネル駆動回路１が通常モードで動作している間、光源が点灯し、限流モードで動作している間、光源が消灯しているものであってもよい。また、タッチパネル駆動回路１の動作モードが通常モードから限流モードへ変更される際、スピーカから動作モードが変更される旨が音声で通知されてもよいし、或いは、振動源が動作してタッチパネル装置１００全体が振動するようにしてもよい。
【００８７】
また、本発明に係るタッチパネル装置１００の各種機能は、ソフトウェア、ファームウェア、またはソフトウェアとファームウェアとの組み合わせにより実現されてもよい。この場合、ソフトウェアやファームウェアは、プログラムとして記述され、補助記憶部５に記憶される。また、本発明に係るタッチパネル装置１００の各種機能は、専用のシステムによらず、コンピュータシステムを用いて実現可能である。例えば、ネットワークに接続されているコンピュータに、上記動作を実行するためのプログラムを、コンピュータシステムが読み取り可能な非一時的な記録媒体（フレキシブルディスク、ＣＤ−ＲＯＭ（Compact Disc Read−Only Memory）、ＤＶＤ（Digital Versatile Disc）、ＭＯ（Magneto−Optical Disc）等）に格納して配布し、当該プログラムをコンピュータシステムにインストールすることにより、上述の処理を実行するタッチパネル装置１００を構成してもよい。
【００８８】
また、コンピュータにプログラムを提供する方法は任意である。例えば、プログラムは、通信回線のサーバにアップロードされ、通信回線を介してコンピュータに配信されてもよい。そして、コンピュータは、このプログラムを起動して、ＯＳ（Operating System）の制御の下、他のアプリケーションと同様に実行する。これにより、コンピュータは、上述の処理を実行するタッチパネル装置１００として機能する。
【００８９】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【産業上の利用可能性】
【００９０】
本発明は、照明装置、換気装置、その他建物内に設置される機器を制御する遠隔制御装置として使用されるタッチパネル装置に好適である。
【符号の説明】
【００９１】
１  タッチパネル駆動回路、２  タッチパネル、３  ＣＰＵ、４  主記憶部、５  補助記憶部、６  表示部、１１  電流供給部、１２  切替部、１３  マイコン、１４  メモリ、２１，２２  電極板、３１  判定部、３２，２３２  指令部、３３，２３３  処理部、３４  表示制御部、３５  計時部、５１  画像情報記憶部、５２  処理情報記憶部、５３  動作モード記憶部、５４  閾値情報記憶部、６１ａ  初期画面画像、６２ａ  メニュー画面画像、６３ａ  確認画面画像、１００，２００  タッチパネル装置、１３１Ｘ，１３１Ｙ  アナログ・ディジタル変換器、１３２  スイッチ制御部、１３３  座標算出部、１４１  相関情報記憶部、２１１，２２１  抵抗膜、２１２，２１３，２２２，２２３  電極、Ｂ１，Ｂ２，Ｂ３１，Ｂ３２  操作釦画像、Ｌ１，Ｌ２  直線、Ｐ  押下位置、Ｓ１，Ｓ２，Ｔ１，Ｔ２  位置、Ｒ２１，Ｒ２２，Ｒ２３，Ｒ２４，Ｒｘ１，Ｒｘ２，Ｒｙ１，Ｒｙ２  抵抗、ＳＷ１１，ＳＷ１２，ＳＷ１３，ＳＷ１４，ＳＷ２１，ＳＷ２２，ＳＷ２３，ＳＷ２４  スイッチング素子
【図１】
2019186939.tif 000003
【図２】
2019186939.tif 000004
【図３】
2019186939.tif 000005
【図４】
2019186939.tif 000006
【図５Ａ】
2019186939.tif 000007
【図５Ｂ】
2019186939.tif 000008
【図６Ａ】
2019186939.tif 000009
【図６Ｂ】
2019186939.tif 000010
【図６Ｃ】
2019186939.tif 000011
【図７Ａ】
2019186939.tif 000012
【図７Ｂ】
2019186939.tif 000013
【図８】
2019186939.tif 000014
【図９】
2019186939.tif 000015
【図１０】
2019186939.tif 000016
【図１１】
2019186939.tif 000017
【図１２Ａ】
2019186939.tif 000018
【図１２Ｂ】
2019186939.tif 000019
【図１２Ｃ】
2019186939.tif 000020
【図１３】
2019186939.tif 000021
【図１４Ａ】
2019186939.tif 000022
【図１４Ｂ】
2019186939.tif 000023
【図１５Ａ】
2019186939.tif 000024
【図１５Ｂ】
2019186939.tif 000025
【図１６】
2019186939.tif 000026
【手続補正書】
【提出日】令和1年11月1日(2019.11.1)
【手続補正１】
【補正対象書類名】明細書
【補正対象項目名】０００６
【補正方法】変更
【補正の内容】
【０００６】
上記目的を達成するために、本発明に係るタッチパネル装置は、
抵抗膜を有し前記抵抗膜に電流が流れている状態で前記抵抗膜内における押下位置に生じている電圧を出力するタッチパネルと、
前記抵抗膜へ電流を供給する電流供給部と、
前記電流供給部から前記抵抗膜へ供給される電流の電流値を、第１電流値と前記第１電流値よりも小さい第２電流値とのいずれかに切り替える電流切替部と、を備え、
前記タッチパネルは、
前記抵抗膜において互いに離間して配置された一対の電極を更に有し、
前記電流切替部は、
前記一対の電極の少なくとも一方に接続される抵抗と、
前記抵抗に並列に接続されたスイッチング素子と、
前記スイッチング素子のオンオフを制御することにより、前記電流供給部から前記抵抗膜へ供給される電流の電流値を、前記第１電流値と前記第２電流値とのいずれかに切り替えるスイッチ制御部と、を有する。
【手続補正２】
【補正対象書類名】特許請求の範囲
【補正対象項目名】全文
【補正方法】変更
【補正の内容】
【特許請求の範囲】
【請求項１】
抵抗膜を有し前記抵抗膜に電流が流れている状態で前記抵抗膜内における押下位置に生じている電圧を出力するタッチパネルと、
前記抵抗膜へ電流を供給する電流供給部と、
前記電流供給部から前記抵抗膜へ供給される電流の電流値を、第１電流値と前記第１電流値よりも小さい第２電流値とのいずれかに切り替える電流切替部と、を備え、
前記タッチパネルは、
前記抵抗膜において互いに離間して配置された一対の電極を更に有し、
前記電流切替部は、
前記一対の電極の少なくとも一方に接続される抵抗と、
前記抵抗に並列に接続されたスイッチング素子と、
前記スイッチング素子のオンオフを制御することにより、前記電流供給部から前記抵抗膜へ供給される電流の電流値を、前記第１電流値と前記第２電流値とのいずれかに切り替えるスイッチ制御部と、を有する、
タッチパネル装置。
【請求項２】
前記電流供給部が前記抵抗膜へ電流を供給している状態で、ユーザが前記タッチパネルを押下したときの前記抵抗膜内における押下位置に生じる電圧を反映した値を出力する電圧値出力部と、
ユーザが前記タッチパネルを押下したか否かを判定する判定部と、
前記判定部により前記タッチパネルが押下されていないと判定されると、前記スイッチング素子をオフ状態にするよう指令するオフ指令情報を前記スイッチ制御部へ出力する指令部と、を更に備える、
請求項１に記載のタッチパネル装置。
【請求項３】
前記電圧を反映した値に基づいて、前記押下位置の前記抵抗膜上の座標値を算出する座標算出部を更に備え、
前記判定部は、前記座標算出部により算出される前記座標値に基づいて、ユーザが前記タッチパネルを押下したか否かを判定する、
請求項２に記載のタッチパネル装置。
【請求項４】
前記判定部は、更に、前記座標算出部により算出される前記座標値に基づいて、ユーザにより前記タッチパネルにおける予め設定された領域が押下されたか否かを判定し、
前記指令部は、前記判定部によりユーザが前記タッチパネルにおける予め設定された領域を押下したと判定されると、前記スイッチング素子をオン状態にするよう指令するオン指令情報を前記スイッチ制御部へ出力する、
請求項３に記載のタッチパネル装置。
【請求項５】
前記スイッチング素子がオフ状態の場合の前記電圧を反映した値と前記座標値との相関関係を示す第１相関情報と、前記スイッチング素子がオン状態の場合の前記電圧を反映した値と前記座標値との相関関係を示す第２相関情報と、を記憶する相関情報記憶部を更に備え、
前記座標算出部は、前記スイッチング素子がオフ状態の場合、前記第１相関情報に基づいて前記座標値を算出し、前記スイッチング素子がオン状態の場合、前記第２相関情報に基づいて前記座標値を算出する、
請求項３または４に記載のタッチパネル装置。
【請求項６】
前記スイッチング素子がオン状態である第１状態か前記スイッチング素子がオフ状態である第２状態かを示す状態情報を記憶する状態情報記憶部を更に備える、
請求項２から５のいずれか１項に記載のタッチパネル装置。
【請求項７】
前記抵抗膜の厚さ方向において前記タッチパネルと重ねて配置された表示部と、
前記表示部に操作画面画像を表示する表示制御部と、を更に備え、
前記指令部は、前記表示部に表示される操作画面画像に適合する分解能に応じて、前記スイッチング素子をオフ状態にするよう指令するオフ指令情報または前記スイッチング素子をオン状態にするよう指令するオン指令情報を前記スイッチ制御部へ出力する、
請求項２から６のいずれか１項に記載のタッチパネル装置。
【請求項８】
前記抵抗は、複数存在し、
前記一対の電極のうち前記電流供給部に電気的に接続される一方と前記電流供給部との間に介挿された第１抵抗と、
前記一対の電極のうちの他方に電気的に接続された第２抵抗と、を含み、
前記スイッチング素子は、複数存在し、
前記第１抵抗に並列に接続された第１スイッチング素子と、
前記第２抵抗に並列に接続された第２スイッチング素子と、を含む、
請求項２から７のいずれか１項に記載のタッチパネル装置。
【請求項９】
前記第１抵抗の抵抗値と前記第２抵抗の抵抗値とは、互いに等しい、
請求項８に記載のタッチパネル装置。
【請求項１０】
前記指令部は、前記判定部により前記タッチパネルが押下されていないと判定されると、前記第１スイッチング素子と前記第２スイッチング素子とのいずれか一方をオフ状態にするよう指令するオフ指令情報を前記スイッチ制御部へ出力する、
請求項８または９に記載のタッチパネル装置。
【手続補正書】
【提出日】令和2年2月7日(2020.2.7)
【手続補正１】
【補正対象書類名】明細書
【補正対象項目名】０００６
【補正方法】変更
【補正の内容】
【０００６】
上記目的を達成するために、本発明に係るタッチパネル装置は、
抵抗膜を有し前記抵抗膜に電流が流れている状態で前記抵抗膜内における押下位置に生じている電圧を出力するタッチパネルと、
前記抵抗膜へ電流を供給する電流供給部と、
前記電流供給部から前記抵抗膜へ供給される電流の電流値を、第１電流値と前記第１電流値よりも小さい第２電流値とのいずれかに切り替える電流切替部と、
前記電流供給部が前記抵抗膜へ電流を供給している状態で、ユーザが前記タッチパネルを押下したときの前記抵抗膜内における押下位置に生じる電圧を反映した値を出力する電圧値出力部と、
前記ユーザが前記タッチパネルを押下したか否かを判定する判定部と、
指令部と、
前記抵抗膜の厚さ方向において前記タッチパネルと重ねて配置された表示部と、
前記表示部に操作画面画像を表示する表示制御部と、を備え、
前記タッチパネルは、
前記抵抗膜において互いに離間して配置された一対の電極を更に有し、
前記電流切替部は、
前記一対の電極の少なくとも一方に接続される抵抗と、
前記抵抗に並列に接続されたスイッチング素子と、
前記スイッチング素子のオンオフを制御することにより、前記電流供給部から前記抵抗膜へ供給される電流の電流値を、前記第１電流値と前記第２電流値とのいずれかに切り替えるスイッチ制御部と、を有し、
前記指令部は、前記判定部により前記タッチパネルが押下されていないと判定されると、前記スイッチング素子をオフ状態にするよう指令するオフ指令情報を前記スイッチ制御部へ出力し、前記表示部に表示される前記操作画面画像に適合する分解能が予め設定された基準分解能以下の場合、前記スイッチング素子をオン状態にするよう指令するオン指令情報を前記スイッチ制御部へ出力し、前記表示部に表示される前記操作画面画像に適合する分解能が前記基準分解能よりも大きい場合、前記スイッチング素子をオフ状態にするよう指令するオフ指令情報を前記スイッチ制御部へ出力する。
【手続補正２】
【補正対象書類名】特許請求の範囲
【補正対象項目名】全文
【補正方法】変更
【補正の内容】
【特許請求の範囲】
【請求項１】
抵抗膜を有し前記抵抗膜に電流が流れている状態で前記抵抗膜内における押下位置に生じている電圧を出力するタッチパネルと、
前記抵抗膜へ電流を供給する電流供給部と、
前記電流供給部から前記抵抗膜へ供給される電流の電流値を、第１電流値と前記第１電流値よりも小さい第２電流値とのいずれかに切り替える電流切替部と、
前記電流供給部が前記抵抗膜へ電流を供給している状態で、ユーザが前記タッチパネルを押下したときの前記抵抗膜内における押下位置に生じる電圧を反映した値を出力する電圧値出力部と、
前記ユーザが前記タッチパネルを押下したか否かを判定する判定部と、
指令部と、
前記抵抗膜の厚さ方向において前記タッチパネルと重ねて配置された表示部と、
前記表示部に操作画面画像を表示する表示制御部と、を備え、
前記タッチパネルは、
前記抵抗膜において互いに離間して配置された一対の電極を更に有し、
前記電流切替部は、
前記一対の電極の少なくとも一方に接続される抵抗と、
前記抵抗に並列に接続されたスイッチング素子と、
前記スイッチング素子のオンオフを制御することにより、前記電流供給部から前記抵抗膜へ供給される電流の電流値を、前記第１電流値と前記第２電流値とのいずれかに切り替えるスイッチ制御部と、を有し、
前記指令部は、前記判定部により前記タッチパネルが押下されていないと判定されると、前記スイッチング素子をオフ状態にするよう指令するオフ指令情報を前記スイッチ制御部へ出力し、前記表示部に表示される前記操作画面画像に適合する分解能が予め設定された基準分解能以下の場合、前記スイッチング素子をオン状態にするよう指令するオン指令情報を前記スイッチ制御部へ出力し、前記表示部に表示される前記操作画面画像に適合する分解能が前記基準分解能よりも大きい場合、前記スイッチング素子をオフ状態にするよう指令するオフ指令情報を前記スイッチ制御部へ出力する、
タッチパネル装置。
【請求項２】
前記電圧を反映した値に基づいて、前記押下位置の前記抵抗膜上の座標値を算出する座標算出部を更に備え、
前記判定部は、前記座標算出部により算出される前記座標値に基づいて、前記ユーザが前記タッチパネルを押下したか否かを判定する、
請求項１に記載のタッチパネル装置。
【請求項３】
前記判定部は、更に、前記座標算出部により算出される前記座標値に基づいて、前記ユーザにより前記タッチパネルにおける予め設定された領域が押下されたか否かを判定し、
前記指令部は、前記判定部により前記ユーザが前記タッチパネルにおける予め設定された領域を押下したと判定されると、前記スイッチング素子をオン状態にするよう指令するオン指令情報を前記スイッチ制御部へ出力する、
請求項２に記載のタッチパネル装置。
【請求項４】
前記スイッチング素子がオフ状態の場合の前記電圧を反映した値と前記座標値との相関関係を示す第１相関情報と、前記スイッチング素子がオン状態の場合の前記電圧を反映した値と前記座標値との相関関係を示す第２相関情報と、を記憶する相関情報記憶部を更に備え、
前記座標算出部は、前記スイッチング素子がオフ状態の場合、前記第１相関情報に基づいて前記座標値を算出し、前記スイッチング素子がオン状態の場合、前記第２相関情報に基づいて前記座標値を算出する、
請求項２または３に記載のタッチパネル装置。
【請求項５】
前記スイッチング素子がオン状態である第１状態か前記スイッチング素子がオフ状態で
ある第２状態かを示す状態情報を記憶する状態情報記憶部を更に備える、
請求項１から４のいずれか１項に記載のタッチパネル装置。
【請求項６】
前記抵抗は、複数存在し、
前記一対の電極のうち前記電流供給部に電気的に接続される一方と前記電流供給部との間に介挿された第１抵抗と、
前記一対の電極のうちの他方に電気的に接続された第２抵抗と、を含み、
前記スイッチング素子は、複数存在し、
前記第１抵抗に並列に接続された第１スイッチング素子と、
前記第２抵抗に並列に接続された第２スイッチング素子と、を含む、
請求項１から５のいずれか１項に記載のタッチパネル装置。
【請求項７】
前記第１抵抗の抵抗値と前記第２抵抗の抵抗値とは、互いに等しく、
前記第１スイッチング素子および前記第２スイッチング素子がオン状態の場合に前記抵抗膜の中央部に生じる電圧と前記第１スイッチング素子および前記第２スイッチング素子がオフ状態の場合に前記抵抗膜の中央部に生じる電圧とは、等しい、
請求項６に記載のタッチパネル装置。
【請求項８】
前記指令部は、前記判定部により前記タッチパネルが押下されていないと判定されると、前記第１スイッチング素子と前記第２スイッチング素子とのいずれか一方をオフ状態にするよう指令するオフ指令情報を前記スイッチ制御部へ出力する、
請求項６または７に記載のタッチパネル装置。
【請求項９】
光源を更に備え、
前記指令部は、前記スイッチング素子をオフ状態にする際、前記光源を点灯または点滅させる、
請求項１から８のいずれか１項に記載のタッチパネル装置。
【請求項１０】
スピーカと振動源との少なくとも一方と、
前記スピーカを備える場合、前記スイッチング素子がオフ状態になる際、前記スピーカに動作モードが変更される旨を通知する音声を出力させ、前記振動源を備える場合、前記スイッチング素子がオフ状態になる際、前記振動源を動作させる処理部と、を更に備える、
請求項１から９のいずれか１項に記載のタッチパネル装置。
【国際調査報告】
2019186939.tif 000027
2019186939.tif 000028
2019186939.tif 000029
2019186939.tif 000030